【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
重量基準で、
約１１．５％〜約１２％のクロム、
約０．８％〜約１．５％のマンガン、
約０．７５％〜約１．５％のニッケル、
０％〜約０．５％のケイ素、
０％〜約０．２％のモリブデン、
０％〜約０．００２５％のホウ素、
鉄、及び
不純物、
を含む、二相フェライト−マルテンサイト系ステンレス鋼であって、
前記鋼がＣＶＮ（ｆｔ−ｌｂ）＋（０．４×ＨＢ）が、約１６０以上になるようなブリネル硬度（ＨＢ）及び−４０℃でのシャルピーＶノッチ衝撃エネルギー（ＣＶＮ）を有する、二相フェライト−マルテンサイト系ステンレス鋼。
【請求項２】
モリブデン含量が０〜約０．１％である、請求項１に記載の二相フェライト−マルテンサイト系ステンレス鋼。
【請求項３】
ニッケル含量が約１．０％〜約１．５％である、請求項１に記載の二相フェライト−マルテンサイト系ステンレス鋼。
【請求項４】
マンガン含量が約１．０％〜約１．５％である、請求項１に記載の二相フェライト−マルテンサイト系ステンレス鋼。
【請求項５】
ホウ素含量が約０．００２％〜約０．００２５％である、請求項１に記載の二相フェライト−マルテンサイト系ステンレス鋼。
【請求項６】
前記鋼の硬度が約３００ＨＢ以上であり、前記鋼のＣＶＮが約５０ｆｔ−ｌｂ以上である、請求項１に記載の二相フェライト−マルテンサイト系ステンレス鋼。
【請求項７】
前記鋼が最大約４５０ＨＢ以上の硬度の加工硬化特性を有する、請求項１に記載の二相フェライト−マルテンサイト系ステンレス鋼。
【請求項８】
重量基準で、
約１１．５％〜約１２％のクロム、
約１．０％〜約１．５％のマンガン、
約１．０％〜約１．５％のニッケル、
０％〜約０．５％のケイ素、
０％〜約０．１％のモリブデン、
０％〜約０．００２５％のホウ素、
０％〜約０．０２５％の炭素、
０％〜約０．０１％の硫黄、
０％〜約０．０３％の窒素、
鉄、及び
不純物、
を含む、請求項１に記載の二相フェライト−マルテンサイト系ステンレス鋼。
【請求項９】
銅とリンのうちの少なくとも１種を更に含む、請求項８に記載の二相フェライト−マルテンサイト系ステンレス鋼。
【請求項１０】
存在する炭素、窒素、リン、及び硫黄の総濃度が約０．１重量％を越えない、請求項８に記載の二相フェライト−マルテンサイト系ステンレス鋼。
【請求項１１】
ホウ素含量が約０．００２％〜約０．００２５％である、請求項８に記載の二相フェライト−マルテンサイト系ステンレス鋼。
【請求項１２】
重量基準で、
約１１．５％〜約１２％のクロム、
約０．８％〜約１．５％のマンガン、
約０．７５％〜約１．５％のニッケル、
０％〜約０．５％のケイ素、
０％〜約０．２％のモリブデン、
０％〜約０．００２５％のホウ素、
０％〜約０．０２５％の炭素、
０％〜約０．０１％の硫黄、
０％〜約０．０３％の窒素、
任意に、銅とリンのうちの少なくとも１種、
鉄、及び
不純物、
から本質的になる、請求項１に記載の二相フェライト−マルテンサイト系ステンレス鋼。
【請求項１３】
重量基準で、
約１１．５％〜約１２％のクロム、
約１．０％〜約１．５％のマンガン、
約１．０％〜約１．５％のニッケル、
０％〜約０．５％のケイ素、
０％〜約０．１％のモリブデン、
０％〜約０．００２５％のホウ素、
０％〜約０．０２５％の炭素、
０％〜約０．０１％の硫黄、
０％〜約０．０３％の窒素、
任意に、銅とリンのうちの少なくとも１種、
鉄、及び
不純物、
から本質的になる、請求項１に記載の二相フェライト−マルテンサイト系ステンレス鋼。
【請求項１４】
重量基準で、
約１１．５％〜約１２％のクロム、
約０．８％〜約１．５％のマンガン、
約０．７５％〜約１．５％のニッケル、
０％〜約０．５％のケイ素、
０％〜約０．２％のモリブデン、
０％〜約０．００２５％のホウ素、
０％〜約０．０２５％の炭素、
０％〜約０．０１％の硫黄、
０％〜約０．０３％の窒素、
任意に、銅とリンのうちの少なくとも１種、
鉄、及び
不純物、からなる、請求項１に記載の二相フェライト−マルテンサイト系ステンレス鋼。
【請求項１５】
重量基準で、
約１１．５％〜約１２％のクロム、
約１．０％〜約１．５％のマンガン、
約１．０％〜約１．５％のニッケル、
０％〜約０．５％のケイ素、
０％〜約０．１％のモリブデン、
０％〜約０．００２５％のホウ素、
０％〜約０．０２５％の炭素、
０％〜約０．０１％の硫黄、
０％〜約０．０３％の窒素、
任意に、銅とリンのうちの少なくとも１種、
鉄、及び
不純物、
からなる、請求項１に記載の二相フェライト−マルテンサイト系ステンレス鋼。
【請求項１６】
請求項１に記載の二相ステンレス鋼を含む、製造物品。
【請求項１７】
前記製造物品が、オイルサンド抽出に使用される部品及び装置、並びに製糖に使用される部品及び装置から選択される、請求項１６に記載の製造物品。
【請求項１８】
請求項１２に記載の二相ステンレス鋼を含む、製造物品。
【請求項１９】
前記製造物品が、オイルサンド抽出に使用される部品及び装置、並びに製糖に使用される部品及び装置から選択される、請求項１８に記載の製造物品。
【請求項２０】
請求項１３に記載の二相ステンレス鋼を含む、製造物品。
【請求項２１】
前記製造物品が、オイルサンド抽出に使用される部品及び装置、並びに製糖に使用される部品及び装置から選択される、請求項２０に記載の製造物品。
【請求項２２】
請求項１４に記載の二相ステンレス鋼を含む、製造物品。
【請求項２３】
前記製造物品が、オイルサンド抽出に使用される部品及び装置、並びに製糖に使用される部品及び装置から選択される、請求項２２に記載の製造物品。
【請求項２４】
請求項１５に記載の二相ステンレス鋼を含む、製造物品。
【請求項２５】
前記製造物品が、オイルサンド抽出に使用される部品及び装置、並びに製糖に使用される部品及び装置から選択される、請求項２４に記載の製造物品。
【請求項２６】
重量基準で、
１１．５％〜１２％のクロム、
０．８％〜１．５％のマンガン、
０．７５％〜１．５％のニッケル、
０％〜０．５％のケイ素、
０％〜０．２％のモリブデン、
０％〜０．００２５％のホウ素、
鉄、及び
不純物、
を含む、二相フェライト−マルテンサイト系ステンレス鋼であって、
前記鋼がＣＶＮ（ｆｔ−ｌｂ）＋（０．４×ＨＢ）が、１６０以上になるようなブリネル硬度（ＨＢ）及び−４０℃でのシャルピーＶノッチ衝撃エネルギー（ＣＶＮ）を有する、二相フェライト−マルテンサイト系ステンレス鋼。
【請求項２７】
モリブデン含量が０〜０．１％である、請求項２６に記載の二相フェライト−マルテンサイト系ステンレス鋼。
【請求項２８】
ニッケル含量が１．０％〜１．５％である、請求項２６に記載の二相フェライト−マルテンサイト系ステンレス鋼。
【請求項２９】
マンガン含量が１．０％〜１．５％である、請求項２６に記載の二相フェライト−マルテンサイト系ステンレス鋼。
【請求項３０】
ホウ素含量が０．００２％〜０．００２５％である、請求項２６に記載の二相フェライト−マルテンサイト系ステンレス鋼。
【請求項３１】
前記鋼の硬度が３００ＨＢ以上であり、前記鋼のＣＶＮが５０ｆｔ−ｌｂ以上である、請求項２６に記載の二相フェライト−マルテンサイト系ステンレス鋼。
【請求項３２】
前記鋼が最大４５０ＨＢ以上の硬度の加工硬化特性を有する、請求項２６に記載の二相フェライト−マルテンサイト系ステンレス鋼。
【請求項３３】
重量基準で、
１１．５％〜１２％のクロム、
１．０％〜１．５％のマンガン、
１．０％〜１．５％のニッケル、
０％〜０．５％のケイ素、
０％〜０．１％のモリブデン、
０％〜０．００２５％のホウ素、
０％〜０．０２５％の炭素、
０％〜０．０１％の硫黄、
０％〜０．０３％の窒素、
鉄、及び
不純物、
を含む、請求項２６に記載の二相フェライト−マルテンサイト系ステンレス鋼。
【請求項３４】
銅とリンのうちの少なくとも１種を更に含む、請求項３３に記載の二相フェライト−マルテンサイト系ステンレス鋼。
【請求項３５】
存在する炭素、窒素、リン、及び硫黄の総濃度が０．１重量％を越えない、請求項３３に記載の二相フェライト−マルテンサイト系ステンレス鋼。
【請求項３６】
ホウ素含量が０．００２％〜０．００２５％である、請求項３３に記載の二相フェライト−マルテンサイト系ステンレス鋼。
【請求項３７】
重量基準で、
１１．５％〜１２％のクロム、
０．８％〜１．５％のマンガン、
０．７５％〜１．５％のニッケル、
０％〜０．５％のケイ素、
０％〜０．２％のモリブデン、
０％〜０．００２５％のホウ素、
０％〜０．０２５％の炭素、
０％〜０．０１％の硫黄、
０％〜０．０３％の窒素、
任意に、銅とリンのうちの少なくとも１種、
鉄、及び
不純物、
から本質的になる、請求項２６に記載の二相フェライト−マルテンサイト系ステンレス鋼。
【請求項３８】
重量基準で、
１１．５％〜１２％のクロム、
１．０％〜１．５％のマンガン、
１．０％〜１．５％のニッケル、
０％〜０．５％のケイ素、
０％〜０．１％のモリブデン、
０％〜０．００２５％のホウ素、
０％〜０．０２５％の炭素、
０％〜０．０１％の硫黄、
０％〜０．０３％の窒素、
任意に、銅とリンのうちの少なくとも１種、
鉄、及び
不純物、
から本質的になる、請求項２６に記載の二相フェライト−マルテンサイト系ステンレス鋼。
【請求項３９】
重量基準で、
１１．５％〜１２％のクロム、
０．８％〜１．５％のマンガン、
０．７５％〜１．５％のニッケル、
０％〜０．５％のケイ素、
０％〜０．２％のモリブデン、
０％〜０．００２５％のホウ素、
０％〜０．０２５％の炭素、
０％〜０．０１％の硫黄、
０％〜０．０３％の窒素、
任意に、銅とリンのうちの少なくとも１種、
鉄、及び
不純物、からなる、請求項２６に記載の二相フェライト−マルテンサイト系ステンレス鋼。
【請求項４０】
重量基準で、
１１．５％〜１２％のクロム、
１．０％〜１．５％のマンガン、
１．０％〜１．５％のニッケル、
０％〜０．５％のケイ素、
０％〜０．１％のモリブデン、
０％〜０．００２５％のホウ素、
０％〜０．０２５％の炭素、
０％〜０．０１％の硫黄、
０％〜０．０３％の窒素、
任意に、銅とリンのうちの少なくとも１種、
鉄、及び
不純物、
からなる、請求項２６に記載の二相フェライト−マルテンサイト系ステンレス鋼。
【請求項４１】
請求項２６に記載の二相ステンレス鋼を含む、製造物品。
【請求項４２】
前記製造物品が、オイルサンド抽出に使用される部品及び装置、並びに製糖に使用される部品及び装置から選択される、請求項４１に記載の製造物品。
【請求項４３】
請求項３７に記載の二相ステンレス鋼を含む、製造物品。
【請求項４４】
前記製造物品が、オイルサンド抽出に使用される部品及び装置、並びに製糖に使用される部品及び装置から選択される、請求項４３に記載の製造物品。
【手続補正２】
【補正対象書類名】明細書
【補正対象項目名】００３２
【補正方法】変更
【補正の内容】
【００３２】
上述の記載は、必然的に限られた数の実施形態のみについて示しているが、当業者により、本明細書で記載及び説明されている実施例の合金及び物品及び他の詳細の様々な変更がなされ得ること、並びに全てのそのような修正が本明細書に示されている及び添付の請求項中にある本開示の原理及び範囲を超えないであろうことを関連技術分野の当業者は認識するであろう。例えば、本開示では本開示にかかるステンレス鋼の限られた数のみについて必然的に示してきたが、そして本開示ではステンレス鋼を含む製造物品の限られた数のみについて必然的に論じてもきたが、本開示及び関連する請求項はそのようには限定されないことが理解されるであろう。当業者であれば、本明細書に開示の必然的に限られた数の実施形態に倣って、及びその趣旨の範囲内で、追加的な鋼の組成を容易に突き止めるであろうし、また追加的な製造物品を製造できる。したがって、本発明は本明細書に開示されているもしくは包含されている具体的な実施形態に限定されず、請求項によって規定される本発明の原理及び範囲内の改良の網羅も意図されていることが理解される。広いその発明概念から逸脱することなしに上述の実施形態の変更が可能であることも、当業者に理解されるであろう。
［発明の態様］
［１］
重量基準で、
約１１．５％〜約１２％のクロム、
約０．８％〜約１．５％のマンガン、
約０．７５％〜約１．５％のニッケル、
０％〜約０．５％のケイ素、
０％〜約０．２％のモリブデン、
０％〜約０．００２５％のホウ素、
鉄、及び
不純物、
を含む、二相フェライト−マルテンサイト系ステンレス鋼であって、
前記鋼がＣＶＮ（ｆｔ−ｌｂ）＋（０．４×ＨＢ）が、約１６０以上になるようなブリネル硬度（ＨＢ）及び−４０℃でのシャルピーＶノッチ衝撃エネルギー（ＣＶＮ）を有する、二相フェライト−マルテンサイト系ステンレス鋼。
［２］
モリブデン含量が０〜約０．１％である、［１］の二相フェライト−マルテンサイト系ステンレス鋼。
［３］
ニッケル含量が約１．０％〜約１．５％である、［１］の二相フェライト−マルテンサイト系ステンレス鋼。
［４］
マンガン含量が約１．０％〜約１．５％である、［１］の二相フェライト−マルテンサイト系ステンレス鋼。
［５］
ホウ素含量が約０．００２％〜約０．００２５％である、［１］の二相フェライト−マルテンサイト系ステンレス鋼。
［６］
前記鋼の硬度が約３００ＨＢ以上であり、前記鋼のＣＶＮが約５０ｆｔ−ｌｂ以上である、［１］の二相フェライト−マルテンサイト系ステンレス鋼。
［７］
前記鋼が最大約４５０ＨＢ以上の硬度の加工硬化特性を有する、［１］の二相フェライト−マルテンサイト系ステンレス鋼。
［８］
重量基準で、
約１１．５％〜約１２％のクロム、
約１．０％〜約１．５％のマンガン、
約１．０％〜約１．５％のニッケル、
０％〜約０．５％のケイ素、
０％〜約０．１％のモリブデン、
０％〜約０．００２５％のホウ素、
０％〜約０．０２５％の炭素、
０％〜約０．０１％の硫黄、
０％〜約０．０３％の窒素、
鉄、及び
不純物、
を含む、［１］の二相フェライト−マルテンサイト系ステンレス鋼。
［９］
銅とリンのうちの少なくとも１種を更に含む、［８］の二相フェライト−マルテンサイト系ステンレス鋼。
［１０］
存在する炭素、窒素、リン、及び硫黄の総濃度が約０．１重量％を越えない、［８］の二相フェライト−マルテンサイト系ステンレス鋼。
［１１］
ホウ素含量が約０．００２％〜約０．００２５％である、［８］の二相フェライト−マルテンサイト系ステンレス鋼。
［１２］
重量基準で、
約１１．５％〜約１２％のクロム、
約０．８％〜約１．５％のマンガン、
約０．７５％〜約１．５％のニッケル、
０％〜約０．５％のケイ素、
０％〜約０．２％のモリブデン、
０％〜約０．００２５％のホウ素、
０％〜約０．０２５％の炭素、
０％〜約０．０１％の硫黄、
０％〜約０．０３％の窒素、
任意に、銅とリンのうちの少なくとも１種、
鉄、及び
不純物、
から本質的になる、［１］の二相フェライト−マルテンサイト系ステンレス鋼。
［１３］
重量基準で、
約１１．５％〜約１２％のクロム、
約１．０％〜約１．５％のマンガン、
約１．０％〜約１．５％のニッケル、
０％〜約０．５％のケイ素、
０％〜約０．１％のモリブデン、
０％〜約０．００２５％のホウ素、
０％〜約０．０２５％の炭素、
０％〜約０．０１％の硫黄、
０％〜約０．０３％の窒素、
任意に、銅とリンのうちの少なくとも１種、
鉄、及び
不純物、
から本質的になる、［１］の二相フェライト−マルテンサイト系ステンレス鋼。
［１４］
重量基準で、
約１１．５％〜約１２％のクロム、
約０．８％〜約１．５％のマンガン、
約０．７５％〜約１．５％のニッケル、
０％〜約０．５％のケイ素、
０％〜約０．２％のモリブデン、
０％〜約０．００２５％のホウ素、
０％〜約０．０２５％の炭素、
０％〜約０．０１％の硫黄、
０％〜約０．０３％の窒素、
任意に、銅とリンのうちの少なくとも１種、
鉄、及び
不純物、からなる、［１］の二相フェライト−マルテンサイト系ステンレス鋼。
［１５］
重量基準で、
約１１．５％〜約１２％のクロム、
約１．０％〜約１．５％のマンガン、
約１．０％〜約１．５％のニッケル、
０％〜約０．５％のケイ素、
０％〜約０．１％のモリブデン、
０％〜約０．００２５％のホウ素、
０％〜約０．０２５％の炭素、
０％〜約０．０１％の硫黄、
０％〜約０．０３％の窒素、
任意に、銅とリンのうちの少なくとも１種、
鉄、及び
不純物、
からなる、［１］の二相フェライト−マルテンサイト系ステンレス鋼。
［１６］
［１］の二相ステンレス鋼を含む、製造物品。
［１７］
前記製造物品が、オイルサンド抽出に使用される部品及び装置、並びに製糖に使用される部品及び装置から選択される、［１６］の製造物品。
［１８］
［１２］の二相ステンレス鋼を含む、製造物品。
［１９］
前記製造物品が、オイルサンド抽出に使用される部品及び装置、並びに製糖に使用される部品及び装置から選択される、［１８］の製造物品。
［２０］
［１３］の二相ステンレス鋼を含む、製造物品。
［２１］
前記製造物品が、オイルサンド抽出に使用される部品及び装置、並びに製糖に使用される部品及び装置から選択される、［２０］の製造物品。
［２２］
［１４］の二相ステンレス鋼を含む、製造物品。
［２３］
前記製造物品が、オイルサンド抽出に使用される部品及び装置、並びに製糖に使用される部品及び装置から選択される、［２２］の製造物品。
［２４］
［１５］の二相ステンレス鋼を含む、製造物品。
［２５］
前記製造物品が、オイルサンド抽出に使用される部品及び装置、並びに製糖に使用される部品及び装置から選択される、［２４］の製造物品。